(57)【要約】【課題】小型化が可能で、画像状態に応じてリフレッシュレートを適時に制御して消費電力を低減する。【解決手段】画像更新検出回路部１２３は、中央演算処理装置のＣＰＵ１３から表示コントローラ１２１への制御コマンド、または表示コントローラ１２１から表示メモリ１２２への書き込み情報を検出して、表示画像の更新を検出する。表示画像の更新が検出されたときには、通常の高リフレッシュレートに設定して、フレーム単位で表示画像を更新する。また、表示画像の更新が検出されないときには、予め設定されていたフレーム数にて表示した後に、予め設定されていた低リフレッシュレートに切り替える。画素基本クロックを分周する画素クロック分周回路部１２４によって、所望のフレームレートに対応した画素クロックをフレームレート制御回路部１２５から表示コントローラ１２１に供給する。【選択図】    図１
2004151222.tif 000002
【特許請求の範囲】
【請求項１】
画面表示のリフレッシュレートに基づいて画像表示を制御する表示制御手段と、
表示画像の更新の有無を検出して画像更新検出情報を出力する画像更新検出手段と、
該画像更新検出情報に基づいて、該表示制御手段のリフレッシュレートを制御するレート制御手段とを備え、
該画像更新検出手段によって表示画像の更新が検出されない場合には、該レート制御手段は該画面表示のリフレッシュレートを低リフレッシュレートに設定する液晶表示制御装置。
【請求項２】
前記表示制御手段からアクセス可能とする表示メモリをさらに備え、
前記画像更新検出手段は、該表示制御手段への制御コマンド、および該表示メモリへの書き込み情報の少なくとも何れかを検出することによって、前記表示画像の更新の有無を検出する請求項１記載の液晶表示制御装置。
【請求項３】
前記レート制御手段は、画素基本クロックを分周することによって、前記画面表示のリフレッシュレートを低く制御する請求項１記載の液晶表示制御装置。
【請求項４】
前記画像更新検出手段によって表示画像の更新が検出されない場合に、次のフレームから、前記レート制御手段は、前記表示制御手段に対するリフレッシュレートを低リフレッシュレートに設定する請求項１〜３の何れかに記載の液晶表示制御装置。
【請求項５】
前記画像更新検出手段によって表示画像の更新が検出されない場合に、所定のフレーム数が表示された後、前記レート制御手段は、前記表示制御手段に対するリフレッシュレートを低リフレッシュレートに設定する請求項１〜３の何れかに記載の液晶表示制御装置。
【請求項６】
前記画像更新検出手段によって表示画像の更新が検出された場合に、前記レート制御手段は、前記表示制御手段に対するリフレッシュレートを高リフレッシュレートに設定する請求項１〜５の何れかに記載の液晶表示制御装置。
【請求項７】
前記レート制御手段は、偶数フレーム単位で前記表示制御手段に対してリフレッシュレートを切り替える請求項１〜６の何れかに記載の液晶表示制御装置。
【請求項８】
前記レート制御手段は、垂直表示周期の開始時点で前記表示制御手段に対してリフレッシュレートを切り替える請求項１〜７の何れかに記載の液晶表示制御装置。
【請求項９】
請求項１〜８の何れかに記載の液晶表示制御装置と、
該液晶表示制御装置によって画像表示が制御される液晶表示パネルとを備えた液晶表示装置。
【請求項１０】
前記液晶表示パネルの表示部に対して、隣接する各画素部に印加される表示電圧の極性を反転するドット反転駆動法または、三原色のＲＧＢの各画素部を千鳥配線とした擬似ドット反転駆動法により表示駆動する請求項９記載の液晶表示装置。
【発明の詳細な説明】
【０００１】
【発明の属する技術分野】
本発明は、例えば携帯電話装置やＰＤＡなどの情報機器、通信機器などのディスプレイ装置に用いられる液晶表示制御装置およびこれを用いた液晶表示装置に関し、特に、バッテリー駆動のために低消費電力化が要求される液晶表示制御装置およびこれを用いた液晶表示装置に関する。
【０００２】
【従来の技術】
従来から、携帯して使用される携帯電話装置やＰＤＡなどのディスプレイ装置において、その表示部として、ＴＦＴアクティブマトリックス型の液晶表示パネルが用いられている。この液晶表示パネルは、一対の電極基板の間に液晶層が挟持されて横方向および縦方向に複数の画素部がマトリックス状に配列されており、各画素に選択的に表示電圧を供給して駆動するためのＴＦＴが各画素毎に設けられている。この液晶表示パネルに、バッテリーから電源電圧を供給して、ソース信号駆動回路およびゲート信号駆動回路により各画素部を選択的に駆動して、各画素部の液晶分子の配向状態を変化させ、これによって各画素部毎の液晶層に入射される光の透過・散乱状態を変化させて画像を表示することができる。
【０００３】
図３は、従来のＴＦＴアクティブマトリックス型の液晶表示パネルの要部構成を示す回路図である。
【０００４】
図３において、この液晶表示パネル１００は、表示部の周辺に配設されたソース信号線駆動回路１１０およびゲート信号線駆動回路１２０と、表示部としての画素アレイ部１３０と、コモン電圧発生回路１４０とを備えている。
【０００５】
ソース信号線駆動回路１１０は、サンプリング回路１１１と、メモリ１１２と、ＤＡＣ（デジタルアナログコンバータ）１１３と、クロック部１１４とを備えており、外部から入力される画像データ（デジタルデータ）をサンプリング回路１１１によってサンプリングしてメモリ１１２に保持し、ＤＡＣ１１３によって映像データ（アナログデータ）に変換した後、所定のクロックタイミングに同期してクロック部１１４から、後述する各ソース信号線１３１に映像データを順次出力する。
【０００６】
ゲート信号線駆動回路１２０は、水平周期信号に同期して各ゲート信号線１３２を順次選択して、ＴＦＴ１３３のオン／オフを制御するようになっている。
【０００７】
画素アレイ部１３０には、複数のソース信号線１３１および複数のゲート信号線１３２が互いに交差するように設けられ、その交差部近傍位置毎にスイッチング素子であるＴＦＴ１３３が配設されている。ＴＦＴ１３３は、そのソースがソース信号線１３１に接続され、そのゲートがゲート信号線１３２に接続され、そのドレインがＲＧＢの画素電極１３４に接続されている。複数の画素電極１３４がマトリックス状に配列されている。この画素電極１３４に対向する対向電極にはＣＳ（補助容量）１３５の一方の電極が接続されている。
【０００８】
コモン電圧発生回路１４０は、ゲート信号線１３２に平行に配設されたコモン電圧線を介してＣＳ１３５の他方の電極に接続されており、コモン電圧線にコモン電圧を印加する。
【０００９】
上記構成により、ゲート信号線駆動回路１２０により選択されたゲート信号線１３２のＴＦＴ１３３を介して各ソース信号線１３１に出力された映像データは画素電極１３４に書き込まれ、各画素電極１３４から液晶層に表示電圧が印加される。
【００１０】
このようにして、各水平周期毎に１ライン目から順次各ゲート信号線１３２を選択していくことによって、液晶表示パネル１００において１フィールド分のデータを表示することができ、垂直周期毎にこの動作を繰り返すことにより、静止画像または動画像を表示画面上に表示することができる。なお、画素電極１３４から液晶層に印加される電圧は、液晶に直流成分が加わらないように、ライン毎、フィールド毎に極性反転されている。
【００１１】
ところで、液晶表示パネル１００の消費電力を抑えるためには、二つの方法が考えられる。第１の方法は、液晶駆動電圧を低くする方法であり、第２の方法は、画面表示のリフレッシュレートを低くする方法である。
【００１２】
従来、第１の方法として、例えば特開平７−１２１１３７号公報（特許文献１）には、１フィールド分のメモリとコンパレータとを設けて、コンパレータによって現在の表示画像とメモリに記憶された前フィールドの表示画像とを比較し、その比較結果として、変化がない静止画であると比較判定された場合に、液晶表示パネルへの供給電源電圧を低くする方法が開示されている。
【００１３】
また、例えば特開平７−５８６０号公報（特許文献２）には、応答スピードが遅い強誘電体液晶表示パネルにおいて、液晶表示パネルの画像表示を制御する表示コントローラからの速いリフレッシュレート（６０Ｈｚ）を間引きした後、画像データを加工して表示品位を向上させる技術が開示されている。しかしながら、この従来技術は、低消費電力を意識してリフレッシュレートを制御するものではない。
【００１４】
【特許文献１】
特開平７−１２１１３７号公報（第３頁〜第４頁、図１）
【００１５】
【特許文献２】
特開平７−５８６０号公報
【００１６】
【発明が解決しようとする課題】
上述したように、液晶表示パネルの消費電力を抑えるためには、液晶駆動電圧を低くする第１の方法と、画面表示のリフレッシュレートを低くする第２の方法とが考えられる。
【００１７】
第１の方法として、上述した特開平７−１２１１３７号公報に開示されている従来技術は、コンパレータによって現在の表示画像と前フィールドの表示画像とを比較して、変化がない静止画であると比較判定された場合に、液晶表示パネルへの供給電源電圧を低くすることによって表示部への消費電力を抑えている。しかしながら、基本的に、静止画状態で液晶表示パネルへの供給電源電圧を低くすると、表示特性が変わってしまうという問題がある。
【００１８】
また、携帯電話装置やＰＤＡなどのような小型携帯端末機器を考えると、１フィールド分のメモリおよびコンパレータの回路規模が大きくなり、その部分の消費電力は、小型携帯機器における消費電力として無視することができないものとなる。また、小型携帯機器の表示制御装置として組み込むことを考えた場合、１フィールド分のメモリおよびコンパレータの回路規模は大きく、小型携帯機器に適用することは容易ではない。
【００１９】
また、第２の方法において、単にリフレッシュレートを低くすると、フリッカが生じるおそれがある。
【００２０】
一般的に、アクティブマトリックス型の液晶表示パネルにおいて、リフレッシュ周波数は６０Ｈｚである。リフレッシュレートを低くする場合には、画素部の液晶印加電圧を１フィールド期間保持するために設けられている補助容量（Ｃｓ容量）をある程度（４０Ｈｚ）まで大きくすれば、フリッカを目立たなくすることができる。しかしながら、さらにリフレッシュレートを低くしたときに、従来用いられている１Ｈライン反転駆動では、１ライン毎の画素のコントラストが目立つようになり、同じ階調の表示を行ったとしても、ライン毎に異なる表示が行われるようになる。表示される画像にもよるが、例えば地図などのように、縦線、横線が表示される映像では、リフレッシュレートが３０Ｈｚ台になると横線のフリッカが目立つようになる。
【００２１】
このフリッカを解消する駆動方法として、隣接するドット（画素）に印加される電圧の極性を反転するドット反転駆動法、または、ＲＧＢの各画素を千鳥配線とした擬似ドット反転駆動法が知られている。これらの駆動方法によれば、低リフレッシュレートでもフリッカが目立たないようにすることができ、画質を向上させることができる。
【００２２】
しかしながら、このような駆動方法を用いて低リフレッシュレートでの表示を行う場合、消費電力を低くすることはできるものの、映像やリアルタイムでのゲーム画像など、動画像を満足に表示することはできない。したがって、リフレッシュレートを可変にして、動画像のときには高いリフレッシュレートで表示品位を向上させ、静止画像のときには低いリフレッシュレートで液晶表示パネルの消費電力を低減させる必要がある。
【００２３】
また、液晶表示パネルは、受像管を用いたＣＲＴとは異なり、液晶層に直流成分が加わらないように、ライン毎、フィールド毎に極性反転されているため、偶数フレーム単位でリフレッシュレートを制御することが必要となる。さらに、リフレッシュレートの切り替えは、フレームが始まる垂直方向１ライン目の表示前に瞬時に行う必要がある。
【００２４】
本発明は、このような事情を鑑みてなされたもので、小型化が可能で、画像状態（表示画像の更新の有無）に応じてリフレッシュレートを適時に制御して消費電力を低減することができる液晶表示制御装置およびこれを用いた液晶表示装置を提供することを目的とする。
【００２５】
【課題を解決するための手段】
本発明の液晶表示制御装置は、画面表示のリフレッシュレートに基づいて画像表示を制御する表示制御手段と、表示画像の更新の有無を検出して画像更新検出情報を出力する画像更新検出手段と、この画像更新検出情報に基づいて、表示制御手段のリフレッシュレートを制御するレート制御手段とを備え、画像更新検出手段によって表示画像の更新が検出されない場合には、レート制御手段は画面表示のリフレッシュレートを低リフレッシュレートに設定するものであり、そのことにより上記目的が達成される。
【００２６】
また、好ましくは、本発明の液晶表示制御装置は、表示制御手段からアクセス可能とする表示メモリをさらに備え、画像更新検出手段は、表示制御手段への制御コマンド、および表示メモリへの書き込み情報の少なくとも何れかを検出することによって、表示画像の更新の有無を検出する。
【００２７】
さらに、好ましくは、本発明の液晶表示制御装置におけるレート制御手段は、画素基本クロックを分周することによって、表示制御手段に対するリフレッシュレートを低く制御する。
【００２８】
さらに、好ましくは、本発明の液晶表示制御装置において、画像更新検出手段によって表示画像の更新が検出されない場合に、次のフレームから、レート制御手段は、表示制御手段に対するリフレッシュレートを低リフレッシュレートに設定する。
【００２９】
さらに、好ましくは、本発明の液晶表示制御装置において、画像更新検出手段によって表示画像の更新が検出されない場合に、所定のフレーム数が表示された後、レート制御手段は、表示制御手段に対するリフレッシュレートを低リフレッシュレートに設定する。
【００３０】
さらに、好ましくは、本発明の液晶表示制御装置において、画像更新検出手段によって表示画像の更新が検出された場合に、レート制御手段は、表示制御手段に対するリフレッシュレートを高リフレッシュレートに設定する。
【００３１】
さらに、好ましくは、本発明の液晶表示制御装置におけるレート制御手段は、偶数フレーム単位で表示制御手段に対してリフレッシュレートを切り替える。
【００３２】
さらに、好ましくは、本発明の液晶表示制御装置におけるレート制御手段は、垂直表示周期の開始時点で表示制御手段に対してリフレッシュレートを切り替える。
【００３３】
本発明の液晶表示装置は、請求項１〜８の何れかに記載の液晶表示制御装置と、この液晶表示制御装置によって画像表示が制御される液晶表示パネルとを備えており、そのことにより上記目的が達成される。
【００３４】
また、好ましくは、本発明の液晶表示装置は、液晶表示パネルの表示部に対して、隣接する各画素部に印加される表示電圧の極性を反転するドット反転駆動法または、三原色のＲＧＢの各画素部を千鳥配線とした擬似ドット反転駆動法により表示駆動する。
【００３５】
上記構成により、以下に、本発明の作用について説明する。
【００３６】
本発明においては、ドット反転駆動または擬似ドット反転駆動法によって低リフレッシュレートの表示駆動を可能とした例えばＴＦＴアクティブマトリックス型の液晶表示パネルに対して、画像表示を制御する液晶表示制御装置において、ＣＰＵなどから表示制御手段への制御コマンド、または／および表示制御手段から表示メモリへの書き込みの有無を画像更新検出手段で検出することによって、表示画像の更新の有無を検出することができる。また、分周回路などで画素基本クロックを分周することによって、リフレッシュレートを１／２、１／３、１／４、・・・と低くすることができる。
【００３７】
表示画像の更新が検出されたときには（例えば動画）、通常の高リフレッシュレートに設定して、フレーム単位で表示画像を更新する。また、表示画像の更新が検出されないときには（例えば静止画）、予め設定されていたフレーム数を表示した後、予め設定されていた低リフレッシュレートに切り替える。
【００３８】
表示制御手段（表示コントローラ）において、液晶表示パネルのリフレッシュレートを、動画像表示中は通常通りに高リフレッシュレートとし、静止画像表示中は低リフレッシュレートとすることによって、液晶表示パネルへの供給電源電圧を低くする従来技術に比べて、液晶表示パネルおよび表示制御手段共に、ダイナミックに消費電力を削減することができる。
【００３９】
また、表示メモリへの書き込み信号とＣＰＵからのＩＯアクセス信号とによって表示画像の更新を検出することができるので、１フィールド分の表示メモリとコンパレータとを用いて動画像を検出する従来技術に比べて、回路構成を大幅に小規模化することができる。
【００４０】
液晶表示パネルにおいては、液晶層に直流成分が加わらないようにライン毎、フィールド毎に極性反転されているため、偶数フレーム単位でリフレッシュレートの制御を行うことが好ましい。また、偶数フレーム単位でのリフレッシュレートの切り替えを即時に行う必要があるため、フレームが始まる垂直方向１ライン目の表示前に瞬時にリフレッシュレートを切り替えることが好ましい。
【００４１】
【発明の実施の形態】
以下に、本発明の実施の形態について、図面に基づいて説明する。
【００４２】
図１は、本発明の一実施形態である液晶表示装置の構成を示すブロック図である。
【００４３】
図１において、液晶表示装置１０は、液晶表示パネル１１と、液晶表示パネル１１の画面表示を制御する液晶表示制御装置１２と、表示制御装置１２に映像データや制御コマンドを供給するＣＰＵ１３とを備えている。
【００４４】
液晶表示パネル１１は、水平方向および垂直方向に複数の画素部がマトリックス状に配列されたＴＦＴアクティブマトリックス型の液晶表示パネルであり、本実施形態では、携帯電話装置の用途として解像度１７６×２２０ドット、またはＰＤＡ用途として２４０×３２０ドットの解像度としている。また、低リフレッシュレート時にフリッカが目立たないように、隣接するドット（画素）に印加される表示電圧の極性を反転させるドット反転駆動法、または、ＲＧＢの各画素を千鳥配線とした擬似ドット反転駆動法によって駆動されている。
【００４５】
表示制御装置１２は、表示制御手段としての表示コントローラ１２１と、表示メモリ１２２と、画像更新検出手段としての画像更新検出回路部１２３と、レート制御手段としての画素クロック分周回路部１２４およびフレームレート制御回路部１２５とを備えている。
【００４６】
表示コントローラ１２１は、ＣＰＵ１３からの情報を液晶表示パネル１１に表示制御する。表示コントローラ１２１は、ＣＰＵ１３による描画処理時および画面リフレッシュ時には、表示メモリ１２２からデータを読み出して液晶表示パネル１４に表示させる。また、表示コントローラ１２１は、ＣＰＵ１３により、液晶表示パネル１１に表示される映像データや表示に関する制御コマンドが供給される。
【００４７】
表示メモリ１２２は、表示コントローラ１２１によりデータの読み出しまたは書き込みが行われ、動画像表示時には表示メモリ１２２に画像更新情報が書き込まれ、静止画像表示時には画像更新情報が無いために表示メモリ１２２への書き込みは行われない。なお、図１では、表示コントローラ１２１と表示メモリ１２２とをそれぞれの機能ブロックとして表しているが、表示解像度が小さい場合には、表示コントローラ１２１と表示メモリ１２２とを一つの集積回路（ＬＳＩ）によって構成してもよい。
【００４８】
画像更新検出回路部１２３は、液晶表示パネル１１における表示画像の更新の有無を検出する。画像更新検出回路部１２３は、携帯電話装置やＰＤＡなど、小容量のバッテリーで駆動する場合には、最小限の回路構成で構成する必要がある。従来、画像の更新情報を得るために１フィールド分のメモリを設けて、前フィールドの表示画像のデータと現在の表示画像のデータとをコンパレータによって比較して、画像の更新を判別する技術があるが、この従来技術では回路規模が大きくなり、その部分の消費電力が大きくなる。そこで、本実施形態では、画像更新検出回路部１２３を、小規模な回路によって画像更新検出回路部１２３を構成するために、次に示す二つの手段を用いて画像更新を検出する。
【００４９】
第１に、表示コントローラ１２１から表示メモリ１２２への書き込み信号を検出する。静止画像表示時には、ＣＰＵ１３から表示コントローラ１２１への画像更新情報がないため、表示コントローラ１２１から表示メモリ１２２へのデータ書き込みは行われない。したがって、１フィールド単位で表示コントローラ１２から表示メモリ１２２へのアクセスを検出することによって、表示画像の更新を検出することができる。
【００５０】
第２に、ＣＰＵ１３から表示コントローラ１２１への制御コマンドを検出する。例えば、スクロール表示など、液晶表示パネル１１における１ライン目の表示位置を各フレーム毎に更新するように、ＣＰＵ１３から表示コントローラ１２１への表示コマンドがあった場合などには、液晶表示パネル１１の表示画像が更新される。したがって、デコード回路を画像更新検出回路部１２３に設けることによって、１フレーム毎に、ＣＰＵ１３から表示コントローラ１２１の内部レジスタへの書き込み信号を表示画像更新情報として検出することができる。
【００５１】
以上のような方法により、画像更新検出回路部１２３を比較的小規模な回路で構成することができる。
【００５２】
画素クロック分周回路部１２４は、リフレッシュレートを１／２、１／３、１／４、・・・に低くするために、基本画素クロックを分周する。例えば、６４０×４８０ドット、リフレッシュレート（フレームレート）６０Ｈｚの表示は、ＶＥＳＡの表示タイミング規定では、約２５ＭＨｚの基本画素クロックを必要とする。基本画素クロックを半分に分周することにより、表示コントローラ１２内部の回路を変更せずに、容易にリフレッシュレートを半分にすることができる。このように、図１では、リフレッシュレートを１／２、１／３、１／４と低くするために、画素クロックを１／２、１／３、１／４に分周する回路を示しているが、ＰＬＬ発振回路にて任意のフレームレート数に設定することも可能である。
【００５３】
フレームレート制御回路部１２５は、画像更新検出回路部１２３からの画像更新検出信号（画像更新検出情報）に基づいて、表示コントローラ１２１に出力する画素クロックを設定する。
【００５４】
また、フレームレート制御回路部１２５は、画像更新検出回路部１２３によって画像更新情報が検出されなかった場合には、予め設定されているフレーム数の表示データを表示させるため、現在の高リフレッシュレートを維持する。その後、リフレッシュレートを低くするため、低くするフレーム周波数（レート１／２、１／３、１／４のどれを選択するかは、予め設定されていてもよい。）に応じて分周された画素クロックを表示コントローラ１２１に出力する。また、画像更新検出回路部１２３によって画像更新が検出された場合には、フレームレート制御回路部１２５は、分周されていない基本画素クロックを表示コントローラ１２１に出力し、表示コントローラ１２１に対して通常の高いリフレッシュレートに設定する。
【００５５】
なお、液晶表示パネル１１においては、１フレーム毎に極性が反転した表示電圧を液晶層に与える所謂、交流駆動方法が用いられている。これによって、信頼性を向上するために、フレームレートは、偶数フレーム単位で、垂直表示タイミングの開始時点で可変制御する必要がある。
【００５６】
図２は、図１のフレームレート制御回路部１２５によるフレームレート制御手順を示すフローチャートである。
【００５７】
まず、現在の表示フレーム期間中に、画像更新検出回路部１２３によって表示コントローラ１２１から表示メモリ１２２への書き込み信号が検出されると（ステップＳ１；ＹＥＳ）、フレームレート制御部１２５は、画像更新検出回路部１２３からの画像更新検出信号に基づいて、現在のフレームの表示終了後（ステップＳ３）、高リフレッシュレート（高フレームレート）に設定する（ステップＳ３）。
【００５８】
現在の表示フレーム期間中に、画像更新検出回路部１２３によって表示コントローラ１２１から表示メモリ１２２への書き込み信号が検出されない場合（ステップＳ１；ＮＯ）で、ＣＰＵ１３から表示コントローラ１２１への制御コマンド（表示コントローラ１２１内へのレジスタ書き込み）が検出されると（ステップＳ２；ＹＥＳ）、フレームレート制御回路部１２５は、画像更新検出回路部１２３からの画像更新検出信号に基づいて、現在のフレームの表示終了後（ステップＳ３）、高リフレッシュレート（高フレームレート）に設定する（ステップＳ４）。
【００５９】
現在の表示フレームが終了するまで、表示コントローラ１２１から表示メモリ１２２への書き込みまたはＣＰＵ１３から表示コントローラ１２１への制御コマンド（表示コントローラ内へのレジスタ書き込み）がない場合（ステップＳ５；ＹＥＳ）には、静止画状態と判断することが可能である。この場合には、予め設定されたフレーム数が表示された後（ステップＳ６：ＹＥＳ）、フレームレート制御部１２５は、その次のフレームから低フレームレートに設定する（ステップＳ７）。
【００６０】
以上のように、本実施形態によれば、画像更新検出回路部１２３は、中央演算処理装置のＣＰＵ１３から表示コントローラ１２１への制御コマンド、または表示コントローラ１２１から表示メモリ１２２への書き込み情報を検出して、表示画像の更新の有無を検出する。表示画像の更新が検出されたときには（動画像と判断）、通常の高リフレッシュレートに設定して、フレーム単位で表示画像を更新する。また、表示画像の更新が検出されないときには（静止画像と判断）、予め設定されていたフレーム数にて表示した後に、予め設定されていた低リフレッシュレートに切り替える。画素基本クロックを１／２、１／３、１／４、・・・の何れかに分周する画素クロック分周回路部１２４によって、所望のフレームレートに対応した画素クロックをフレームレート制御回路部１２５から表示コントローラ１２１に供給することができる。これによって、従来のものに比べて小型化が可能で、画像状態（例えば動画像か静止画像か）に応じてリフレッシュレートを適時に制御して消費電力を低減することができる。
【００６１】
【発明の効果】
以上のように、本発明によれば、動画像表示の際には液晶表示パネルに高リフレッシュレートで表示を行って高品位に動画像を表示し、静止画像表示の際には液晶表示パネルに低リフレッシュレートで表示を行ってバッテリー駆動のために低消費電力化を図ることができる。また、ＣＰＵなどから表示制御手段への制御コマンド、または表示制御手段から表示メモリへの書き込み情報を検出して表示画像の更新を検出することによって、回路構成を小規模化して、小型携帯端末機器に適した液晶表示制御装置およびこれを用いた液晶表示装置を実現することができる。
【図面の簡単な説明】
【図１】本発明の一実施形態である液晶表示装置の要部構成例を示すブロック図である。
【図２】図１のフレームレート制御回路部によるフレームレートの制御手順を示すフローチャートである。
【図３】従来の液晶表示パネルの構成例を示す回路図である。
【符号の説明】
１０    液晶表示制御装置
１１    液晶表示パネル
１２    液晶表示制御装置
１２１    表示コントトーラ
１２２    表示メモリ
１２３    画像更新検出回路部
１２４    画像クロック分周回路部
１２５    フレームレート制御回路
１３    ＣＰＵ
【図１】
2004151222.tif 000003
【図２】
2004151222.tif 000004
【図３】
2004151222.tif 000005